(57)【特許請求の範囲】
【請求項１】
少なくともその一面に導電性回転体が設けられた回路基板ユニットと、
導電性可撓体が設けられた、前記導電性回転体が嵌入する開口を有し、前記回路基板ユニットを収納するシェルフとを備えたことを特徴とする電子機器。
【請求項２】
さらに、前記導電性回転体を押圧する押圧部材を備え、前記回路基板ユニットが前記シェルフに収納された状態で、前記導電性回転体を前記導電性可撓体に圧接することを特徴とする請求項１に記載の電子機器。
【請求項３】
さらに、前記導電性回転体の嵌入を解除する解除部材を備えたことを特徴とする請求項１又は２に記載の電子機器。
【請求項４】
前記導電性回転体は、前記回路基板ユニットの上面に設けられたことを特徴とする請求項１〜３のいずれか１項に記載の電子機器。
【請求項５】
少なくともその一面に導電性回転体が設けられた第一の筐体と、
前記第一の筐体が収納された状態で前記導電性回転体が当接する位置に、導電性可撓体が設けられ、前記第一の筐体が収納される第二の筐体とを備えたことを特徴とする電子機器。
【発明の詳細な説明】
【技術分野】
【０００１】  本発明は、回路基板ユニットと回路基板ユニットを収納するシェルフとからなる電子機器に関し、特に回路基板ユニットからの電磁波の漏洩防止手段を備える電子機器に関する。
【背景技術】
【０００２】  例えば、ハードディスクを収納したデスクアレイ装置は、コントローラ等の回路部品を搭載した回路基板ユニットを挿抜可能に収納している。このような、回路基板ユニットを筐体すなわちシェルフに収納する装置においては、回路基板ユニットを収納した前面から電磁波が漏洩するのを防止する必要がある。そのため、シェルフに収納した回路基板ユニットをシェルフに電気的に接続してアースを取るようにしていた。近年、回路基板に搭載される回路のクロック数が増加し、電磁波シールドを強化する必要性はますます高まっている。【０００３】  このため、回路基板ユニットの上面に金属製の板バネを設けて、回路基板ユニットをシェルフに圧接して、電気的に接続するものが提案されている（特許文献１参照）。しかしながら、板バネは、シェルフとの接触面積が小さく、回路基板ユニットをシールドするために十分な電気的接触を得られない場合があった。また、板バネは、長期間の使用により塑性変形を起こし、接触不良を起こすこともあった。【０００４】  また、従来装置にあっては、回路基板ユニットをシェルフに収納した場合にロックする機構をユニット前面に備えていた。これは、回路基板ユニットとシェルフ内のバックボードとの接続を確実にするためにも必要であった。しかしながら、最近では、回路のポート数の増大に伴い、回路基板ユニットの表面にコネクタ取り付けスペースを確保する必要が生じており、回路基板ユニット前面のロック機構のために、コネクタ取り付けスペースを十分確保することができないという問題もあった。【０００５】
【特許文献１】特開平５−２４３７７３号公報
【発明の開示】
【発明が解決しようとする課題】
【０００６】  本発明の課題は、上記従来の問題点に鑑み、回路基板ユニットの電磁シールドを確実にする電子機器を提供することである。また、シェルフに対する特別のロック機構を使用しないで済む電子機器を提供することである。
【課題を解決するための手段】
【０００７】  上記課題を解決するために、本発明による一態様である電子機器は、少なくともその一面に導電性回転体が設けられた回路基板ユニットと、導電性可撓体が設けられた、前記導電性回転体が嵌入する開口を有し、前記回路基板ユニットを収納するシェルフとを備えたことを特徴とする。【０００８】  また、前記電子機器は、前記導電性回転体を押圧する押圧部材を備え、前記回路基板ユニットが前記シェルフに収納された状態で、前記導電性回転体を前記導電性可撓体に圧接するようにしてもよい。【０００９】  さらに、前記導電性回転体の嵌入を解除する解除部材を備えることもできる。  さらに、前記導電性回転体は、前記回路基板ユニットの上面に設けることもできる。  さらに、本発明の他の態様では、少なくともその一面に導電性回転体が設けられた第一の筐体と、前記第一の筐体が収納された状態で前記導電性回転体が当接する位置に導電性回転体が設けられ、前記第一の筐体が収納される第二の筐体とを備えたことを特徴とする。
【発明の効果】
【００１０】  本発明の電子機器は、回路基板ユニットとシェルフの電気的接続を確実に行って、回路基板ユニットの電磁シールドを強化でき、また特別なロック機構を必要としない。
【図面の簡単な説明】
【００１１】
【図１】本発明の１実施形態である回路基板ユニットとシェルフからなる電子機器の概略図である。
【図２ａ】回路基板ユニットの開口と開口上面に設けられた導電性薄板とを示す図である。
【図２ｂ】回路基板ユニットの開口と開口端面に設けられた導電性薄板とを示す図である。
【図２ｃ】回路基板ユニットの開口と開口下面に設けられた導電性薄板とを示す図である。
【図３ａ】回路基板ユニットに支持されたローラを示す斜視図である。
【図３ｂ】回路基板ユニットに支持されたローラを示す平面図である。
【図４】回路基板ユニットのローラの支持機構を説明する図である。
【図５】回路基板ユニットのローラがシェルフの導電性薄板と接触している場合を示す図である。
【図６】回路基板ユニットのローラがシェルフの導電性薄板と接触している場合を図４とは異なる方向から見た図である。
【図７】回路基板ユニットのローラがシェルフの導電性薄板から離れた場合を示す図である。
【図８】従来の回路基板ユニットの一例を示す図である。
【図９】従来の回路基板ユニットの一例の上面図である。
【発明を実施するための最良の形態】
【００１２】  本発明の実施形態を説明する前に、本発明の作用及び効果を明りょうにするために、本発明を実施していない電子機器を説明する。【００１３】  図８及び図９に、従来の回路基板ユニットの概略を示す。図８は、斜視図であり、図９は、上面図である。この回路基板ユニット５０は、シェルフ（図示せず）に挿入して使用される。回路基板ユニット５０は、各種の電子回路部品を搭載したプリント回路基板５２を収容している。このユニット５０の前面には、ロック機構５６を備えた前面板５４が、設けられている。シェルフに基板ユニット５０が収納された後に、この前面板５４を閉じて、基板ユニット５０をシェルフに対してロックするようになっている。ロック機構５６の詳細の説明は省略する。また、基板ユニット５０は、上面に複数の板バネからなるシールドバネ５３を備えている。シールドバネ５３は、基板ユニット５０をシェルフに収納したときにシェルフに接触するようになっており、基板ユニット５０とシェルフとを電気的に接触させ、基板ユニット５０の前面からの電磁波の漏洩を防止するようになっている。【００１４】  しかしながら、シールドバネ５３は、シェルフとの接触面積が小さく、回路基板ユニットの電磁波をシールドするのに十分とはいえない。また、板バネは、長期間の使用により塑性変形を起こし、接触不良を起こしやすい。また、シールドバネ５３は１つ１つ、シェルフにはめ込むので、製造にも手間がかかり、その上各シールドバネが紛失するおそれもあった。さらに、回路基板ユニット５０をロックする際には、前面板５４を、図９の矢印の方向に回動して閉じるので、前面板５４が、回路基板ユニット５０の前面を大きくふさぐことになる。したがって、回路基板ユニット５０の前面に十分なコネクタ用スペースを設けることができなかった。【００１５】  本発明は、前述のように、これらの問題を解決するものである。以下、図面を参照して、本発明の実施の形態を説明する。図１は、本発明の実施形態による電子機器１０の概略図である。電子機器１０は、シェルフ２０と回路基板ユニット３０及び４０を備える。回路基板ユニット３０及び４０はともに、シェルフ２０に対して挿抜可能であり、図では、回路基板ユニット３０が引き出されている。回路基板ユニット３０には、例えばハードディスク装置３１２、ＣＰＵ３１４、コントローラ等の各種電子回路が搭載されたプリント回路基板３１が収納されている。回路基板ユニット３０の前面には開口が設けられ、この開口によりハードディス装置の交換が可能である。また、回路基板ユニット３０の前面に設けられたコネクタ用スペースを介して、プリント回路基板３１のコネクタ３２と外部装置との電気的接続が可能になっている。【００１６】  回路基板ユニット３０の上面の前面近傍に、開口３３が設けられ、開口３３から突出するように、ローラ３５が設けられている。回路基板ユニット３０の下面には、同様に開口３７が設けられ、開口３７から突出するように、ローラ３９が設けられている。ローラ３５及び３９は、金属や導電性ゴムのような導電性の物質からなる。回路基板ユニット３０を収納するシェルフ２０の上面には、回路基板ユニット３０が完全に収納された場合に、回路基板ユ��ット３０のローラ３５が、嵌入する開口２１が設けられ、その開口２１には、ガスケット、導電性ゴムあるいは導電性金属の薄板等のフレキシブルな導電性薄板２２が設けられている。ここでは、図２ａに示すように、開口２１の上面に薄板２２を配置したが、図２ｂに示すように、開口の側面に接して薄板２２を配置してもよく、また図２ｃ示すように、開口の下部に配置してもよい。さらに、シェルフに開口を設けることなく、フレキシブルな導電性薄板をシェルフ内面に配置することもできる。この場合、シェルフ内面に単に薄板を接着するようにしてもよいし、シェルフ内面に凹部を設け、この凹部に薄板を配置するようにしてもよい。【００１７】  また、図示はしないが、シェルフ２０の下面にも、回路基板ユニット３０が完全に収納された場合に、回路基板ユニット３０のローラ３３が、嵌入する開口が設けられ、その開口は、導電性薄板２２と同様の導電性金属薄板により覆われている。なお、回路基板ユニット３０の下面は通常、自重によりシェルフ２０の内面に密着するから、ユニット下面の開口３７及びローラ３９は、省略してもよい。以下に説明するように、ローラ３５及び３９は、それぞれ解除棒３４及び３８を操作することにより、シェルフ２０の開口への嵌入を解除することができる。【００１８】  図３ａ、３ｂ及び図４は、ローラ３５の支持機構を説明するための図である。図３ａは、回路基板ユニット３０の上面の斜視図であり、図３ｂは、回路基板ユニット３０の上面部分図である。また、図４は、ローラ３５の支持機構の概略図である。ローラ３５は、図３ａに示すように、開口３３から突出するように構成され、回路基板ユニット３０がシェルフに収納されたとき、シェルフ２０の開口２１に設けられた薄板２２に接触して、回路基板ユニット３０とシェルフ２０との電気的接続を図るものである。したがって、ローラ３５と、ローラ３５を回路基板ユニットに支持する支持機構とは、導電性の材料で構成される。本例では、ローラは２個備えているが、１個でもよいし、３個以上でもよい。いずれにせよ、ローラ３５は、導電性を有するものであればよい。また、ローラ３５は円筒状に形成されているが、例えば樽状のものでも球状のものでもよい。ローラ３５の形状、大きさ及びその数は、当業者であれば、本発明を実施するに当って最適なものを選択することができる。回路基板ユニット３０とシェルフ２０との電気的接続を行うローラ３５は、ローラ軸３５１に回動自在に支持されている。ローラ軸３５１は、支持棒３５２を備えている。支持棒３５２は、回路基板ユニットに固定された支持板３５３にスプリング３５４を介して支持され、支持板３５３の孔に挿通している。スプリング３５４は、通常時にローラ３５を図示上方に押し上げるように働いている。また、支持棒３５２には、解除棒３４が結合している。解除棒３４の他端は、図３ａおよび３ｂに示すように、ユニット３０の外部に伸び、操作可能になっている。解除棒３４は、回路基板ユニット３０に固定されている支軸３４１を有している。支軸３４１は、解除棒３４を支持するとともに、解除棒３４に支点を与える。解除棒３４を、回路基板ユニット３０の外部から図４の矢印８１に示す方向すなわち図示上���に押し上げると、解除棒の他端に結合した支持棒３５１はスプリング３５２に抗して、矢印８３に示す方向すなわち図示下方に移動し、したがって支持棒３５２に結合したローラ３５も下方に移動する。【００１９】  図５及び図６は、回路基板ユニット３０がシェルフ２０に収納され、ローラ３５が、シェルフの開口に嵌入している場合を示す。回路基板ユニット３０がシェルフ２０に収納された場合には、図示のように、導電性のローラ３５は、スプリング３５４により導電性の薄板２２に圧接される。薄板２２は、導電性ローラに押されてたわみ、ローラを包み込むように変形する。したがって、ローラ３５の曲面は薄板２２に密着して、従来の板バネによる電気的接続よりも接触面積を増加させることができ、信頼性の高い電磁波シールドを実現できる。また、ローラ３５が、シェルフ２０の開口に嵌入するとともに、薄板２２とローラ３５との摩擦力により、回路基板ユニット３０はシェルフ２０に対してロックされる。このようにして、従来のように特別なロック機構を用いることなく、効果的なロックを行うことができる。図５に見られるように、ロックされた状態では、解除棒３４は水平に保持されている。【００２０】  図７は、回路基板ユニット３０をシェルフ２０から引き出す場合を示す。回路基板ユニット３０をシェルフ２０から引き出す場合には、図７に示すように、回路基板ユニット３０から突出する解除棒３４を、矢印８２の方向すなわち図示上方に持ち上げる。解除棒３４の他端は、支軸３４１を支点にして矢印８４の方向すなわち図示下方に移動し、ローラ３５を引き下げるように働く。この結果スプリング３４は圧縮されて、ローラ３５は、薄板２２から離れ、シェルフ２０の開口から抜け出す。ロックが解除された状態で、回路基板ユニット３０をシェルフ２０から引き出すと、ローラ３５は、シェルフ２０の上面に沿って回路基板ユニット３０を案内して、引き出すことができる。なお、上面のローラ３５についてのみ説明したが、下面のローラ３９についても、同様である。【００２１】  本例で説明した、ローラの支持機構は、単なる一例であって、ローラが薄板と電気的接触を可能にするものであれば、どのような支持機構あるいは支持部を用いてもよく、接触しているローラと薄板とを離す手段についても、適宜採用することができる。【００２２】  以上説明したように、本発明の実施形態である、回路基板ユニットをシェルフに収納するように構成された電子機器は、回路基板ユニットをシェルフに収納した状態で、回路気基板ユニットの導電性の回転体がシェルフの導電性の可撓体と接触することにより、電気的接触と機械的なロックとを同時に行うことができる。また、ロックのための特別な機構を回路基板の前面に必要としないことから、回路基板ユニットの前面を、たとえばコネクタのためのスペースとして使用することができ、当該電子機器を使用する際の制約を緩和することができる。
【図１】
0004330648.tif 000002
【図２ａ】
0004330648.tif 000003
【図２ｂ】
0004330648.tif 000004
【図２ｃ】
0004330648.tif 000005
【図３ａ】
0004330648.tif 000006
【図３ｂ】
0004330648.tif 000007
【図４】
0004330648.tif 000008
【図５】
0004330648.tif 000009
【図６】
0004330648.tif 000010
【図７】
0004330648.tif 000011
【図８】
0004330648.tif 000012
【図９】
0004330648.tif 000013